(57)【要約】【課題】繭を作る蛾の幼虫を１匹づつ筒状体に収納し、使用する時に、幼虫を潰したり傷つけたりすることなく簡単に取出すことができる蛾の幼虫の収納容器を提供するものである。【解決手段】繭６を作る蛾の幼虫５が１匹入る大きさの内径と長さに形成され、両端が開口した円筒体４の中間部に、ミシン目３を全周に形成し、円筒体４の内部で繭６を作って両端開口部を繭６で塞いだ状態に形成し、使用する時に円筒体４の一方を指でつまんで折り曲げることによりたミシン目３で折れて分離し、容易に幼虫５を取出すことができる。【選択図】  図２
0003188432.tif 000002
【実用新案登録請求の範囲】
【請求項１】
繭を作る蛾の幼虫が１匹入る大きさの内径と長さに形成され、両端が開口した筒状体の中間部に、ミシン目または間隔をおいてスリットを全周に形成し、筒状体の内部で繭を作って両端開口部を繭で塞いだ状態に形成したことを特徴とする蛾の幼虫の収納容器。
【請求項２】
筒状体が紙または合成樹脂で形成された円筒体であることを特徴とする請求項１記載の蛾の幼虫の収納容器。
【請求項３】
繭を作る蛾の幼虫がブドウ虫であることを特徴とする請求項１記載の蛾の幼虫の収納容器。
【請求項４】
内部で繭を作った幼虫を収納した筒状体の両端にキャップを取付けたことを特徴とする請求項１記載の蛾の幼虫の収納容器。
【考案の詳細な説明】
【技術分野】
【０００１】
本考案は、釣り用の餌や研究用に用いる蛾の幼虫の収納容器に関するものである。
【背景技術】
【０００２】
イワナ、ヤマメ、マス、ハヤ、アマゴ等の渓流釣をする場合、釣用の生き餌としてブドウ虫（ハチミツツヅリガ）などの昆虫の幼虫が多く用いられている。このブドウ虫の幼虫を生きた状態でケース内に収容して持ち運ぶが、従来は多数の孔が形成された段ボール状の紙製保護体を丸めてケース内に収容し、この孔の中にブドウ虫の幼虫の繭を作らせてこの中で生きた状態で保存していた（特許文献１）。
【０００３】
渓流釣をする場合、ケースから丸めた段ボール状の紙製保護体を取り出して、孔を形成する外側の紙を手で破って幼虫を１匹ずつ取出して針の先に付けている。しかしながら丈夫な紙で形成されている保護体を、幼虫を傷付けずに取出すことが難しく、幼虫を潰したり、破断してしまうことがあった。また段ボール状の紙製保護体の孔に入り込んで巣を作る幼虫と、入らないで外部で巣を作るものとがあり、しかも幼虫が入っていない孔の開口部が繭で覆われているものもあり、段ボール状の紙製保護体内に何匹の幼虫が入っているか正確に見極めることができなかった。
【０００４】
このため円筒状の植物の「よし」を利用し、中間に節を残して一定の長さに裁断したものを幼虫の収納容器としたものが提案されている（特許文献２）。これは、中間の節を境として二匹のブドウ虫を収納したもので、使用する時には爪先で「よし」を割って簡単にブドウ虫を取出すことができると共に、ケース内の残数を容易に確認できる利点がある。しかしながら植物の「よし」を利用することは天然物であるので、その収穫や、裁断などの手間がかかり、また内径や厚さも一定しないので、最適な「よし」を選別する作業が面倒で、実用化できない問題があった。
【０００５】
また植物の「よし」の代わりに、紙や合成樹脂で形成された円筒体を用いることも記載されているが、紙や合成樹脂で形成された円筒体を破いて内部から幼虫を取出す時に、破れにくいので幼虫を潰してしまう問題があった。
【先行技術文献】
【特許文献】
【０００６】
【特許文献１】特開平９−２２００４３号公報
【特許文献２】特開平８−３３６３５０号公報
【考案の概要】
【考案が解決しようとする課題】
【０００７】
本考案は上記問題を改善し、繭を作る蛾の幼虫を１匹ずつ筒状体に収納し、使用する時に、幼虫を潰したり傷つけたりすることなく簡単に取出すことができる蛾の幼虫の収納容器を提供するものである。
【課題を解決するための手段】
【０００８】
本考案の請求項１記載の蛾の幼虫の収納容器は、繭を作る蛾の幼虫が１匹入る大きさの内径と長さに形成され、両端が開口した筒状体の中間部に、ミシン目または間隔をおいてスリットを全周に形成し、筒状体の内部で繭を作って両端開口部を繭で塞いだ状態に形成したことを特徴とするものである。
【０００９】
本考案の請求項２記載の蛾の幼虫の収納容器は、請求項１において、筒状体が紙または合成樹脂で形成された円筒体であることを特徴とするものである。
【００１０】
本考案の請求項３記載の蛾の幼虫の収納容器は、請求項１において、繭を作る蛾の幼虫がブドウ虫であることを特徴とするものである。
【００１１】
本考案の請求項４記載の蛾の幼虫の収納容器は、請求項１において、内部で繭を作った幼虫を収納した筒状体の両端にキャップを取付けたことを特徴とするものである。
【考案の効果】
【００１２】
本考案に係る請求項１記載の蛾の幼虫の収納容器によれば、筒状体の中間部に、ミシン目または間隔をおいてスリットを全周に形成してあるので、幼虫を取出す時に、片手で収納容器の一方をつかみ、他方の手で収納容器の他方側をつかんで折り曲げると中間のミシン目またはスリットで折れて、幼虫の体の半分が露出した状態となる。幼虫の露出し部分を指でつまんで引き出すことにより、幼虫を潰すことなく容易に取出すことができる。また収納容器に１匹づつ幼虫が入っているので数量の確認が容易である。
【００１３】
また請求項２記載の蛾の幼虫の収納容器によれば、筒状体が紙で形成されたものは、幼虫を取り出した後、万一そのまま廃棄されても、環境上の問題が少なくて済む。また合成樹脂でストロー状に形成したものは製造が容易である。
【００１４】
また請求項３記載の蛾の幼虫の収納容器によれば、繭を作る蛾の幼虫としてブドウ虫を用いると、飼育が容易で、渓流釣り用の生き餌として有効である。
【００１５】
また請求項４記載の蛾の幼虫の収納容器によれば、内部で繭を作った幼虫を収納した筒状体の両端にキャップを取付けたので、温度が上がってサナギや蛾に成長した時に繭を破って外部に出るのを防止することができ、特に研究室で使用する場合に効果的である。
【考案を実施するための最良の形態】
【００１６】
以下本考案の実施の一形態を図１ないし図３を参照して詳細に説明する。図１は収納容器１の作成工程を示すもので、図１（Ａ）に示すように例えば段ボール紙などに厚紙２を縦１．５〜２ｃｍ、横４ｃｍ程度の長方形に裁断する。またこの長方形の厚紙２の中間に横方向にミシン目３を形成しておく。次にこの厚紙２を２回程度巻き付けて円筒に形成してから、端部を糊付けして図１（Ｂ）に示すように両端が開口した円筒体４を形成する。
【００１７】
次に図１（Ｃ）に示すように円筒体４内に例えばブドウ虫（ハチミツツヅリガ）の幼虫５を入れる。この場合、その挿入手段は例えばケース内に円筒体４と幼虫５を入れて幼虫自身が自分から円筒体４に入り込むようにする。このように、幼虫５が入いった円筒体４を冷蔵庫に入れ温度を下げると、幼虫５が糸を吐き出して数時間で繭６を作り、図１（Ｄ）および図２（Ａ）に示すように円筒体４の開口部が塞がれて収納容器１が形成される。
【００１８】
この後、内部で繭６を作った収納容器１を、図３に示すようにケース８に所定数入れて冷蔵庫で保管する。このケース８は、ケース本体９と開閉自在に連結された蓋部１０とから構成され、ケース本体９の外周には紐通し孔１１が設けられ、また蓋部１０には複数個の通気孔１２が開孔されている。
【００１９】
上記構成の蛾の幼虫５が収納された収納容器１はケース８に入れて持ち運び、釣りをする時に、ケース８の蓋部１０を開けてケース本体９内の収納容器１を１個取出す。次に片手で収納容器１の一方をつかみ、他方の手で収納容器１の他方側をつかんで折り曲げると、中間に周方向全体にリング状にミシン目３が形成されているので図２（Ｂ）に示すようにミシン目３で折れる。
【００２０】
この部分を少しひねると分離し、図２（Ｃ）に示すように幼虫５の体の半分が露出した状態となる。幼虫５の露出した部分を指でつまんで引き出すことにより、幼虫５を潰すことなく容易に取出すことができる。またケース８内の残数の確認も容易である。
【００２１】
図４は本考案の他の実施の形態を示すもので、円筒体４の中間部に周方向に間隔をおいて２本のスリット１３をリング状に入れた収納容器１である。この収納容器１も片手で一方をつかみ、他方の手で収納容器１の他方側をつかんで折り曲げて、ひねるとスリット１３、１３の間で容易に分離して、幼虫５の体の半分が露出した状態となる。
【００２２】
図５は本考案の他の実施の形態を示すもので、内部で繭６を作った幼虫５を収納した円筒体４の両端にキャップ１４、１４を取付けたものである。この収納容器１は、温度が上がって幼虫５がサナギや蛾に成長した時に繭６を破って外部に出るのを防止することができ、研究用の蛾の幼虫５を室内で保存、使用する場合に効果的である。
【００２３】
なお上記説明では収納容器１の円筒体４を厚紙２で形成した場合について説明したが、ストロー状の合成樹脂で形成したものでも良く、また円筒体４に限らず角筒状でも良い。また繭６を作る蛾の幼虫５として、ブドウ虫を用いた場合についで説明したが、釣り用の生き餌として他の繭６を作る蛾の幼虫５を収納したものでも良い。
【図面の簡単な説明】
【００２４】
【図１】本考案の実施の一形態による蛾の幼虫の収納容器を作る手順を示した説明図である。
【図２】収納容器を折って蛾の幼虫を取出す手順を示した断面図である。
【図３】蛾の幼虫の収納容器をケースに入れた状態を示す斜視図である。
【図４】本考案の他の実施の形態による円筒体の中間にスリットを入れた収納容器の正面図である。
【図５】本考案の異なる他の実施の形態による円筒体の両端にキャップを取付けた収納容器の断面図である。
【符号の説明】
【００２５】
１    収納容器                                              
２    厚紙                                                  
３    ミシン目                                              
４    円筒体                                                
５    幼虫                                                  
６    繭                                                    
８    ケース                                                
９    ケース本体                                            
１０  蓋部                                                  
１１  紐通し孔                                              
１２  通気孔                                                
１３  スリット                                              
１４  キャップ
【図１】
0003188432.tif 000003
【図２】
0003188432.tif 000004
【図３】
0003188432.tif 000005
【図４】
0003188432.tif 000006
【図５】
0003188432.tif 000007